(57)【特許請求の範囲】
【請求項１】
容器本体の上部開口に被着される栓体と、該栓体にヒンジにて開閉可能に連結され、前記栓体の天板に開口する注出口を液密に覆う蓋体とを備え、前記ヒンジと反対側に前記蓋体の全閉状態を保持するロック手段を備えた飲料用容器の中栓において、
前記栓体の前記天板上面に筒状の飲み口を突出して設け、該飲み口の内部を前記注出口となすとともに、該飲み口の上端面を前記ロック手段側が高くヒンジ側が低いテーパ状にカットすると共に、前記蓋体に一体にボス部を突設し、該ボス部に非金属製材料により形成した弾性部材を嵌合装着したものであって、前記蓋体を全閉した際には、前記ボス部に嵌合装着された前記弾性部材が、前記栓体に弾接する状態とし、前記ロック手段を解除した際には、前記蓋体を開方向へ付勢するようにし、前記栓体の前記天板に空気孔を設け、前記弾性部材を前記蓋体が全閉した際に前記空気孔を閉塞する位置に設けたことを特徴とする飲料用容器の中栓。
【請求項２】
前記弾性部材は、前記空気孔を直交方向に閉塞することを特徴とする請求項１に記載の飲料用容器の中栓。
【請求項３】
前記弾性部材は内部が空洞であり、該空洞部に空気が出入り自由であることを特徴とする請求項１又は２に記載の飲料用容器の中栓。
【発明の詳細な説明】
【０００１】
【発明の属する技術分野】
本発明は、携帯用魔法瓶や水筒，スポーツドリンク容器を始めとする各種飲料用容器の中栓に係り、特に蓋体をワンタッチで開いて容器本体内の飲料を直接飲むことのできる飲料用容器の中栓に関する。
【０００２】
【従来の技術】
飲料用容器の中栓の先行技術として、例えば特開平２００１−１４９２３６号公報に開示されるものがある。この先行技術は、容器本体の上部開口に被着される筒状の栓体と、該栓体にヒンジにて開閉可能に連結され、栓体の天板に開口する注出口を液密に覆う蓋体と、該蓋体を全閉状態に保持するスライド式のロック手段とを備えており、蓋体を解放した栓体の上部周壁に唇をつけて飲料容器内の飲料を直接飲むことができるようにしている。
【０００３】
【発明が解決しようする課題】
しかしながら、上述の栓体は、上部周壁が下すぼまりの漏斗状に形成されていて天板はその下側にあるため、飲料を飲む際に容器を傾けると、注出口から流出した飲料が上部周壁を開口縁に向かうに従って拡散することとなり、しかも注出口からの流量は、容器本体の傾け具合を調節する以外にはないため、飲料を飲用者が口の小さな子どもであったり乗物等の振動のある場所で飲む場合には、飲料が口の外へ流れ出て衣服を濡らす虞がある。
【０００４】
さらに、ロック手段には、蓋体の全閉状態を保持するために金属製の圧縮コイルばねが組み込まれているが、飲料用容器の中栓は使用の前後に容器本体から取り外して洗浄する部品であるため、水分の付着によって錆の発生する虞がある金属部品を用いることは衛生的観点から極力避けることが望ましい。
【０００５】
この対策として、栓体に弾性チューブやストローを吸い口として設けることが考えられるが、これらはいずれも飲料を吸引して飲むこととなるため、熱い飲み物には適当でない。
【０００６】
また、特開平１１−２４４１５８号公報には、栓体の天板に筒状の飲み口を突設し、該飲み口に可動キャップを昇降可能に装着した中栓が開示され、可動キャップを上昇させて開栓した飲み口を、可動キャップごと口に含んで容器本体内の飲料を飲むようにしているが、この飲み口は、上端面が飲み口の中心軸と直交方向に設けられているため、特に量が少なくなった容器本体内の飲料を飲むために、容器本体を水平以上に傾けた場合には、飲用者に顔を仰向けにさせて体をのけ反らせるムリな姿勢を強いることとなり、好ましくない。
【０００７】
本発明は、このような実情を背景にしてなされたもので、その目的とするところは、容器本体内の飲料を飲用者や飲む場所，飲料の温度に関わりなく、かつ楽な姿勢で良好に飲むことができ、また水洗いにも錆ることなく衛生的な飲料用容器の中栓を提供することにある。
【０００８】
【課題を解決するための手段】
上記した目的を達成するため、本発明は、容器本体の上部開口に被着される栓体と、該栓体にヒンジにて開閉可能に連結され、前記栓体の天板に開口する注出口を液密に覆う蓋体とを備え、前記ヒンジと反対側に前記蓋体の全閉状態を保持するロック手段を備えた飲料用容器の中栓において、
前記栓体の前記天板上面に筒状の飲み口を突出して設け、該飲み口の内部を前記注出口となすとともに、該飲み口の上端面を前記ロック手段側が高くヒンジ側が低いテーパ状にカットすると共に、前記蓋体に一体にボス部を突設し、該ボス部に非金属製材料により形成した弾性部材を嵌合装着したものであって、前記蓋体を全閉した際には、前記ボス部に嵌合装着された前記弾性部材が、前記栓体に弾接する状態とし、前記ロック手段を解除した際には、前記蓋体を開方向へ付勢するようにし、前記栓体の前記天板に空気孔を設け、前記弾性部材を前記蓋体が全閉した際に前記空気孔を閉塞する位置に設けたことを特徴としている。
【０００９】
本発明の他の手段として、前記弾性部材は、前記空気孔を直交方向に閉塞することを特徴とする。さらに前記弾性部材は内部が空洞であり、該空洞部に空気が出入り自由であることを特徴とする。
【００１０】
【発明の実施の形態】
以下本発明を、携帯用の魔法瓶に適用した形態例を図面に基づいて詳細に説明する。
【００１１】
図１〜図３は第１形態例を示すもので、魔法瓶１は、金属製の容器本体２と、該容器本体２の上部開口に被着される合成樹脂製の中栓３とを備えている。容器本体２は、内筒２ａと外筒２ｂの上部開口縁を一体に接合し、内筒２ａと外筒２ｂとの間の空間を真空の断熱層４となした断熱二重構造で、外筒２ｂの上部外周には、中栓３を螺着するためのおねじ２ｃが形成されている。
【００１２】
中栓３は、めねじ５ａを外筒２ｂのおねじ２ｃに螺着して容器本体２の上部開口に装着される栓体５と、該栓体５にヒンジ６を用いて開閉可能に連結される蓋体７と、ヒンジ６とは反対側で蓋体７の全閉状態を保持するロック手段８とを備えている。
【００１３】
栓体５は、外筒２ｂの上部外周を囲繞する筒状部５ｂの上面に、容器本体２の上部開口を覆う天板５ｃを設けた逆有底筒状に形成されており、筒状部５ｂの一側部には、ロック手段８の構成部材であるシーソ式のロックボタン１０と係止環１１とが設けられている。また、天板５ｃの一側部側には飲み口５ｄが、天板５ｃの他側部側には、ヒンジ６の構成部材であるガイドリブ５ｅがそれぞれ突設され、さらに飲み口５ｄとガイドリブ５ｅとの間に空気孔１２が開設されており、飲み口５ｄと空気孔１２とは、ガイドリブ５ｅとロックボタン１０とを結ぶ直線Ｌ１上に配設されている。
【００１４】
蓋体７は、栓体５の筒状部５ｂの上側に連続する筒状部７ａと、該筒状部７ａの上面を閉塞する天板７ｂとの逆有底筒状に形成されており、さらに、ロック手段８が位置する一側部側が高く、ヒンジ６が位置する他側部側が低い傾斜形状となっている。筒状部７ａは、一側部にロック手段８の構成部材である係止リブ７ｃと係止片７ｄとが突設され、他側部にヒンジ６を構成する二股腕７ｅと開蓋状態を保持する爪片７ｆとが形成されるとともに、天板７ｂの内側には、パッキン１３と弾性部材１４とがヒンジ６のガイドリブ５ｅとロック手段８のロックボタン１０とを結ぶ直線Ｌ１上に配設されている。
【００１５】
前記ヒンジ６は、栓体５のガイドリブ５ｅを蓋体７の二股腕７ｅではさみ、これらにヒンジ軸１５を挿通することによって構成され、蓋体７は、このヒンジ６によって、栓体５の上部に開閉可能に組み付けされる。前記ロック手段８は、栓体５のロックボタン１０及び係止環１１と蓋体７の係止リブ７ｃ及び係止片７ｄとで構成され、閉位置に回動した蓋体７の係止片７ｄにロックボタン１０が係合し、さらに係止リブ７ｃに係止環１１を掛け止めることによって蓋体７の全閉状態が保持される。また、全閉状態の蓋体７を開けるには、係止リブ７ｃに掛け止めした係止環１１を外し、ロックボタン１０の下側を押して該ロックボタン１０と係止片７ｄとの係合を解除することにより、蓋体７が自身の持つ弾性部材１４の弾発力によって開口方向へ付勢されるようになっている。
【００１６】
栓体５の飲み口５ｄは、天板５ｃから飲用者が口に含むのに適した太さで蓋体７に覆われる高さの略円柱状に突設されており、その内部を飲料の注出口１６としている。飲み口５ｄの上端面５ｆは、飲み口５ｄの中心軸Ｌ２と直交する線Ｌ３よりもヒンジ６側が角度θ１分低くなるように傾斜していて、蓋体７の天板７ｂと略同じ角度で、ロック手段８側が高くヒンジ６側が低いテーパ状に形成されている。空気孔１２は、容器本体２の内部と栓体５の外部とに連通する小孔で、容器本体２内の空気を飲料の増減に伴って給排し、飲み口５ｄを飲料が良好に流通できるようにしている。
【００１７】
飲み口５ｄの上端面５ｆは、ロック手段８側の最高点とヒンジ６側の最低点とが、前述の直交方向線Ｌ３上に位置し、さらの直交方向線Ｌ３はロック手段８のロックボタン１０とを結ぶ前述の直線Ｌ１と一致して設けられており、このような構成によって、飲み口５ｄを蓋体７で覆った閉栓時に、蓋体７のパッキン１３が上端面５ｆを隙間なくシールして飲料の漏出がないようにしている。
【００１８】
なお、上端面５ｆの傾斜角度θ１は、５〜３０度の範囲が適当であり、５度以下では減少した飲料を飲む際の飲用者がその姿勢に負担を感じるようになり、また３０度以上では、上端面５ｆがかなり突出した形状となって外観上好ましくない。
【００１９】
蓋体７のパッキン１３は、飲み口５ｄの上端面５ｆよりも大径な球面状に形成されており、蓋体７を全閉した際には、飲み口５ｄの上端面５ｆに弾接して液密にシールするようになっている。弾性部材１４は、蓋体７を開方向へ付勢する従来の金属製のばねに代わるもので、シリコン等の軟質合成樹脂やゴム等の非金属製材料で有底円筒状に形成されており、上部開口を天板７ｂの内面に突設した円筒状のボス部７ｇに嵌合して蓋体７に装着されている。
【００２０】
弾性部材１４の長さは、蓋体７の全閉位置よりもやや手前に回動した時点で、その下端が栓体５の天板５ｃに当接するよう設定されており、蓋体７を全閉した際には、弾性部材１４が軸方向に縮小して下端が空気孔１２を直交方向に液密に閉塞する。また、ロック手段８による蓋体７の全閉状態を解除した際には、弾性部材１４が軸方向に伸張して蓋体７を開方向へ弾発し、弾性部材１４の下端が空気孔１２から離れて、空気孔１２が開放される。弾性部材１４内の空洞部１７は、ボス部７ｇの一側部に形成したスリット１８を通して外部と連通しており、蓋体７の開閉に伴う弾性部材１４の伸縮を良好に行えるようにしている。
【００２１】
栓体５のガイドリブ５ｅには、反ロック手段側の外面に複数の係合リブ５ｇが形成されており、ロック手段８の解除操作によって弾性部材１４に弾発される蓋体７は、天板７ｂの爪片７ｆが係合リブ５ｇの間に係合して、蓋体７を１８０度以上の開位置に保持するようになっている。
【００２２】
本形態例は、以上のように構成されており、ロック手段８を用いて蓋体７を全閉した状態では、飲み口５ｄの上端面５ｆをパッキン１３が液密にシールし、空気孔１２を弾性部材１４が液密にシールしている（ 図２）。また、ロック手段８を解除操作すると、弾性部材１４が蓋体７を弾発してヒンジ軸１５回りに開方向へ付勢し、栓体５の真横へ回動した蓋体７が爪片７ｆと係合リブ５ｇとの係合によってロックされ、栓体５の上方が開放される（ 図３）。
【００２３】
そして、容器本体２内の飲料を飲む場合には、飲み口５ｄを飲用者側に、また開状態の蓋体７を飲用者とは反対側に向けながら、飲み口５ｄに口をつけて容器本体２を飲用者側に傾けることにより、容器本体２内の飲料が飲み口５ｄより流出していく（  図１）。
【００２４】
本形態例はこのように、飲み口５ｄを、栓体５の天板５ｃから筒状に突出させた形状であるため、飲用者が口の小さな子どもであったり、乗物等の振動のある場所で飲む場合にも、飲料が口の外へみだりに流れ出て衣服を濡らす虞がない。また、飲み口５ｄは、ストローやチューブのような吸引タイプではないので、冷温いずれの飲料を飲む場合にも適している。
【００２５】
さらに、飲み口５ｄの上端面５ｆが、飲み口５ｄの中心軸Ｌ２との直交線Ｌ３上にあると、図１のように水平方向に傾けた容器本体２内の飲料をさらに飲む場合には、飲用者が顔を仰向けにして体をのけ反らせる姿勢を強いられることとなるが、本形態例の飲み口５ｄは、上端面５ｆを直交線Ｌ３より角度θ１でヒンジ側を低く傾斜させているため、飲用者はムリな姿勢をせずとも容器本体２の底部側を角度θ１分だけさらに持ち上げて飲料を流出させるだけの余裕があり、容器本体２内の飲料を容易に飲むことができる。したがって、容器本体２内の飲料Ｄが減少した場合には特に有効である。
【００２６】
また、従来の金属製のばねに代えて、軟質合成樹脂やゴム等の非金属製の弾性部材１４で蓋体７を開き方向へ付勢するようにしたから、中栓３が洗浄等で水に濡れることがあっても錆ることはなく、衛生的に優れている。さらに、弾性部材１４を蓋体７側に設けたことにより、栓体５に不要な突出物がないので、飲用時に鼻が当たる等の不具合がない。また、この弾性部材１４で空気孔１２を閉塞するようにしたから、部品点数を削減して製造コストの低減が図れる。しかも、弾性部材１４を空気孔１２に対して直交方向に設けたので、空気孔１２を確実に閉塞することができる。
【００２７】
さらに、弾性部材１４を内部に空洞部１７を持つ有底円柱状とし、空洞部１７内の空気をボス部７ｇのスリット１８を通して外部へ自由に出入りできるようにしたので、蓋体７の開閉に伴う弾性部材１４の伸縮が良好に行えて、蓋体７を開方向へ付勢する機能と、空気孔１２を閉塞する機能とを長期間よく保つことができる。
【００２８】
また、飲み口５ｄの上端面５ｆにあっては、ロック手段８側の最高点とヒンジ６側の最低点とが、ロック手段８のロックボタン１０とを結ぶ直線Ｌ１上に位置するようにしたので、蓋体７を閉じた際には、パッキン１３から上端面５ｆに直交方向の力が働いて、上端面５ｆを隙間なく液密にシールするので飲料が漏出する虞がない。
【００２９】
図４は、本発明の参考例を示すもので、第１形態例と同形の飲み口２０を栓体５とは別体に形成し、該飲み口２０を栓体５の天板５ｃに突設した取り付け環５ｈに周方向へ回動可能に嵌着している。
【００３０】
飲み口２０の上端面２０ａは、取り付け環５ｈと飲み口２０の軸線Ｌ４と直交する線Ｌ５から角度θ２でカットされており、飲用者がこの上端面２０ａを周方向の好みの方向へ向けて自由なスタイルで飲むことができるようにしている。
【００３１】
なお、前述の形態例では、弾性部材で栓体の空気孔を塞ぐようにしたが、飲料用容器には空気孔を持たないものもあり、さらに飲料用容器に空気孔があっても、必ずしも弾性部材で空気孔を塞ぐことを限定しない。弾性部材は、内部を空洞とすることが望ましいが、充実形状とすることも妨げない。さらに、弾性部材をヒンジとロック手段とを結ぶ直線以外の場所に配設することも自由である。
【００３２】
【発明の効果】
以上説明したように、本発明の飲料用容器の中栓によれば、飲用者が口の小さな子どもであったり、乗物等の振動のある場所で飲む場合にも、飲料が口の外へみだり流れ出て衣服を濡らす虞がない。また、飲み口は、ストローやチューブのような吸引タイプではないので、冷温いずれの飲料を飲む場合にも適している。さらに、飲み口の上端面を、ロック手段側が高くヒンジ側が低いテーパ状に傾斜させたことにより、容器本体内の飲料を容易に飲むことができる。
【００３３】
また、従来の金属製のばねに代えて、軟質合成樹脂やゴム等の非金属製の弾性部材で蓋体を開き方向へ付勢するようにしたから、中栓を洗浄等で水に濡らすことがあっても錆ることはなく、衛生的にも優れている。この弾性部材を蓋体側に設けると、栓体に不要な突出物がないので、飲用時に鼻が当たる等の不具合がない。
【００３４】
さらに、弾性部材で空気孔を閉塞するようにしたことにより、専用部品を削減して製造コストの低減を図ることができる。また、弾性部材を空気孔に対して直交方向に設けることにより、空気孔の閉塞が確実に行える。さらに、弾性部材の内部を空洞化して内部空気を自由に出入りできるようにしたので、蓋体の開閉に伴う弾性部材の伸縮が良好に行えて、蓋体の弾発と空気孔の閉塞機能とをよく保つことができる。
【図面の簡単な説明】
【図１】  本発明の第１形態例を示す  図３のＩ−Ｉ断面図
【図２】  本発明の第１形態例を示す魔法瓶上部の断面図
【 図３】  本発明の第１形態例を示す魔法瓶の開蓋平面図
【  図４】  本発明の参考例を示す魔法瓶の要部拡大断面図
【符号の説明】
１…魔法瓶（本発明の飲料用容器）、２…容器本体、２ａ…内筒、２ｂ…外筒、３…中栓、４…断熱層、５…栓体、５ｂ…筒状部、５ｃ…天板、５ｄ…飲み口、５ｅ…ガイドリブ、５ｆ…飲み口５ｄの上端面、５ｇ…係合リブ、５…取り付け環、６…ヒンジ、７…蓋体、７ａ…筒状部、７ｂ…天板、７ｃ…係止リブ、７ｄ…係止片、７ｅ…二股腕、７ｇ…ボス部、８…ロック手段、１０…ロックボタン、１１…係止環、１２…空気孔、１３…パッキン、１４…弾性部材、１６…注出口、１７…空洞部、１８…スリット、２０…飲み口、２０ａ…飲み口２０の上端面
【図１】
0003937428.tif 000002
【図２】
0003937428.tif 000003
【図３】
0003937428.tif 000004
【図４】
0003937428.tif 000005